(57)【要約】【課題】絨毯及び木床両方において、操作性が軽く塵埃集塵性能が優れ使い勝手の良い電気掃除機用吸込具を提供することを目的とする。【解決手段】吸込室１２を形成する前方の壁３１の下部に、吸込室と連通した吸入路３０を構成し、吸込通路１４より遠ざかるに従って、吸入路面積を広くしていく構成とした電気掃除機用吸込具で、吸入路３０の一部が毛足により、ふさがれてしまっても、他の吸入路３０からの外気を取り入れを行えることができ、それにより吸込室内の真空圧の上昇を押さえることができる。【選択図】　図４
2004089248.tif 000002
【特許請求の範囲】
【請求項１】
吸込具本体は、上下ケースよりなり、下ケースには、下面に開口部を設けた吸込室が形成され、その内部には、回転自在に設けた回転ブラシを備え、その後方に吸込通路を形成する連結管を構成してなり、前記吸込室を形成する下ケース前方前壁において、床面側に吸入路を形成し、前記前壁略中央の吸入路高さをＨ、側面側の吸入路高さをｈとするとき、Ｈ＜ｈとし、中央から側面側に徐々に吸込室と連通した吸入路の開口面積を広くしていくよう構成した電気掃除機用吸込具。
【請求項２】
吸込具本体は、上下ケースよりなり、下ケースには、下面に開口部を設けた吸込室が形成され、その内部には、回転自在に設けた回転ブラシを備え、その後方に吸込通路を形成する連結管を構成してなり、前記吸込室を形成する下ケース前方前壁において、前記前壁の下面部を複数の凹凸形状に構成し、吸込室と連通した吸入路を形成すると共に、前記吸入路の床面からの高さを中央付近より左右端部側を高く構成して設けた電気掃除機用吸込具。
【請求項３】
前壁の下面部を複数の凹凸形状に構成し、吸込室と連通した吸入路を形成すると共に、前記吸入路の床面からの高さを前記前壁の左右方向に伸びるに従って段々に高く変化させて構成した請求項２記載の電気掃除機用吸込具。
【請求項４】
前壁の下面部に複数の吸入路を形成し、前記前壁の左右方向に伸びるに従って吸入路の高さ又は巾を変化させ吸入路面積を段々に拡大して構成した請求項２記載の電気掃除機用吸込具。
【請求項５】
吸込通路に対向する下ケース前方前壁の位置に吸入路を形成してなる請求項１〜４のいずれか１項に記載の電気掃除機用吸込具。
【請求項６】
塵埃吸引用の電動送風機と、塵埃を捕集する集塵室と、請求項１〜５のいずれか１項記載の電気掃除機用吸込具に連通するよう接続される接続口を設けた電気掃除機。
【発明の詳細な説明】
【０００１】
【発明の属する技術分野】
本発明は、電気掃除機用吸込具及びそれを用いた電気掃除機に関するものである。
【０００２】
【従来の技術】
以下に従来の電気掃除機用吸込具の構成を図９〜図１２を用いて説明する。
【０００３】
吸込具本体４０は、上部側が上ケース４１よりなり、下部側が底面を構成する下ケース４２よりなり、下ケース４２には、下面に開口した吸込室４３が形成され、上下ケースがネジにより被着（固着）されている。
【０００４】
吸込室４３内部には、被掃除面に付着した塵埃を遊離させる回転ブラシ４５を内蔵し、その外周面には毛ブラシ４６を植毛し、内部に回転ブラシ４５の駆動源である電動機（図示せず）と回転を減速する減速装置（図示せず）が内蔵されており、後部中央には、吸込通路４７を構成する連結管４８に連通している。連結管４８は、連絡路４９を介して、アーム５は曲がり継手５１で構成されている。
【０００５】
アーム５０は、吸込具本体４０の後部中央に上下動自在に内装され、一方のアーム５０の他端には、アーム５０の局方向に回動自在に接続された曲がり継手５１にて構成している。吸込室４３を形成する下ケース４２の前方前壁の下面に、吸込室４３と外気が連通した複数の凹凸形状の吸入路５２が吸込室４３に並行に同一形状で構成されている。また、前記下ケース４２両側側面にも外気と連通した吸入通路５３が構成されている。５４は、下ケース４２の４隅近傍に、被掃除面に傷を付けない事を目的としたローラーが取り付けられている。
【０００６】
上記構成において動作を説明すると、掃除機本体と吸込具本体４０に通電すると電動機が回転し減速装置により制御された回転トルクが回転ブラシ４５に伝達され、毛ブラシ４６により絨毯などに付着した塵埃を掻き出すとともに、吸込室４３と床面で囲まれた空間に負圧がかかり、吸入路５２及び吸入通路５３より外気が流入し、吸込通路４７に流れ込む、かつ、回転ブラシ４５を回転させ、絨毯に付着した塵埃を掻き出し、前記回転ブラシ４５により掻き出された塵埃を気流により集塵室内部へ集塵される。
【０００７】
【発明が解決しようとする課題】
しかしながら、前記従来の構成では、下ケース４２前方前壁の下面に吸込室４３と外気が連通した複数の吸入路５２を同一形状に構成している。
【０００８】
しかし前記吸入路５２は、同一形状で構成されているため、絨毯上では、特に、吸込室４３内において、吸込通路４７付近の負圧が床面への吸着が高く、吸込具本体４０が沈み込んでしまう。吸入路５２は、同一形状で構成されているため、一つがふさがれると、比例して、吸込室４３内の真空圧が上昇し、さらに、吸込具本体４０が沈み込んでしまうことで、吸入路５２が全てふさがれてしまう。よって、吸込室４３内全体の真空圧が高くなり操作性が重くなり使い勝手が悪くなる。かつ、吸込室４３内の真空圧が高くなり、床面へ吸込具本体４０が吸着し毛足に沈み込んでしまうことで、毛ブラシ４６が絨毯に食らい込み、毛足の負荷により電動機のトルクが低下しゴミ取れが悪くなるという問題があった。
【０００９】
この解決策として、上記側面に外気と連通した吸入通路５３を形成している。ただし、前記吸入通路５３は、主に吸込室４３内の真空圧低下用の洩らし孔の役割をし、毛足にふさがれないよう床面からの高さ及び開口面積をできるだけ、大きく形成していた。
【００１０】
ただし、必要以上に開口面積をひろげてしまうと、木床等のフローリングに、散布している軽量の固形物の集塵性は、吸込室４３と床面で囲まれた空間に負圧がかかり、吸入路５２から外気が流入し、吸込通路４７に流れ込む、この気流が大きければ大きいほど、軽量の固形物の集塵性は向上する。逆に、吸入通路５３面積が大きければ、負圧がかかりにくく吸込通路４７が遠ざかるにつれ真空圧は低く、気流も小さいため、砂等の固形物等の吸い残しが発生するという問題を有していた。
【００１１】
特に、現在の家庭用掃除機において、回転ブラシ４５を電動機で回転させる床用吸込具４０は、木床でも、回転ブラシ４５を回転させ、この回転ブラシ４５の掻上げにより吸込通路４７へ塵埃を導き塵埃集塵性向上をおこなっている。したがって、絨毯及び木床両方の集塵性において、塵埃を吸込通路４７へ導く気流、または真空圧を低下させる洩らし孔の相反する部分での集塵性能の両立が課題となっている。
【００１２】
本発明は、絨毯及び木床両方において、操作性が軽く塵埃集塵性能が優れ使い勝手の良い電気掃除機用吸込具を提供することを目的とする。
【００１３】
【課題を解決するための手段】
上記目的を達成するために本発明は、吸込具本体の下面に開口部を設けた吸込室と、その後方に吸込通路を形成する連結管を配設し、吸込室を形成する前方の壁の下部に、吸込室と連通した吸入路を構成し、吸込通路より遠ざかるに従って、吸入路面積を広くしていく構成とした電気掃除機用吸込具である。
【００１４】
これにより、吸込通路より遠ざかるに従って、絨毯上では、吸入路の一部が毛足により、ふさがれてしまっても、他の吸入路からの外気の取り入れを行えることができ、それにより吸込室内の真空圧の上昇を押さえることができる。よって、吸込具本体の沈み込み防止が行えることで、ブラシ毛が絨毯に食らい込むことなく回転ブラシの回転性が維持でき、塵埃の掻き上げが行える。
【００１５】
また、木床では、外気からの空気の取り入れを吸込通路より遠ざかるに従って増やすことで、吸込室中央は、負圧が高く、遠ざかるにつれ、外気からの気流を増やすことができる。
【００１６】
【発明の実施の形態】
本発明の請求項１に記載の発明は、吸込具本体は、上下ケースよりなり、下ケースには、下面に開口部を設けた吸込室が形成され、その内部には、回転自在に設けた回転ブラシを備え、その後方に吸込通路を形成する連結管を構成してなり、前記吸込室を形成する下ケース前方前壁において、床面側に吸入路を形成し、前記前壁略中央の吸入路の高さＨ、側面側の吸入路高さｈとするとき、Ｈ＜ｈとし、中央から側面側に徐々に吸込室と連通した吸入路の開口面積を広くしていくよう構成したので、絨毯上では、特に、吸込通路付近の負圧が床面への吸着が高く、吸込具本体が沈み込もうとし、吸入路の一部が毛足により、ふさがれてしまっても、他の吸入路からの外気の取り入れを行えることができ、それにより吸込室内の真空圧の上昇を押さえることができる。よって、吸込具本体の沈み込み防止が行えることで、ブラシ毛が絨毯に食らい込むことなく回転ブラシの回転性が維持でき、塵埃の掻き上げが行えるものである。
【００１７】
また、木床では、外気からの空気の取り入れを吸込通路より遠ざかるに従って増やすことで、吸込室中央は、負圧が高く、遠ざかるにつれ、外気からの気流を増やすことができる。
【００１８】
回転ブラシの回転方向に沿って気流を取り入れることで、軽量の固形物等の掻き上げられた塵埃は気流にのり、スムーズに吸込通路へ導き込まれゴミの吸い残しのムラを解消できるものである。
【００１９】
請求項２記載の発明は、吸込具本体は、上下ケースよりなり、下ケ―スには、下面に開口部を設けた吸込室が形成され、その内部には、回転自在に設けた回転ブラシを備え、その後方に吸込通路を形成する連結管を構成してなり、前記吸込室を形成する下ケース前方前壁において、前記前壁の下面部を複数の凹凸形状に構成し、吸込室と連通した吸入路を形成すると共に、前記吸入路の床面からの高さを中央付近より左右端部側を高く構成したので、特に毛足の長い絨毯では、上記吸入路が塞がれてしまいがちだが、左右端部の吸入路を中央より、高く形成しているため、吸入路より外気をとりいれることが可能であり、また、他は吸込具本体が毛足に沈み込むのを防止する役目をおこなうことができ、安定して外気の取り入れを行えることができる、それにより吸込室内の真空圧の上昇を押さえることができ、回転ブラシの回転性が維持でき、塵埃の掻き上げが行えるものである。
【００２０】
請求項３記載の発明は、前壁の下面部を複数の凹凸形状に構成し、吸込室と連通した吸入路を形成すると共に、前記吸入路の床面からの高さを前記前壁の左右方向に伸びるに従って段々に高く変化させて構成したので、絨毯上では、上記凹凸形状によって、外気をとりいれる吸入路、他は、吸込具本体が毛足に沈み込むのを防止する役目をおこなうことができ、より安定して、吸入路からの外気の取り入れを行えることができ、それにより吸込室内の真空圧の上昇を押さえることができ、より回転ブラシの回転性が維持でき、塵埃の掻き上げが行えるものである。
【００２１】
請求項４記載の発明は、前壁の下面部に複数の吸入路を形成し、前記前壁の左右方向に伸びるに従って吸入路の高さ又は巾を変化させ吸入路面積を段々に拡大して構成したので、さらに、絨毯上では、上記凹凸形状によって、外気をとりいれる吸入路、他は、吸込具本体が毛足に沈み込むのを防止する役目をおこなうことができ、より安定して、吸入路からの外気の取り入れを行えることができ、より回転ブラシの回転性が維持でき、塵埃の掻き上げが行えるものである。また、吸込室内の真空圧低下用の洩らし孔の役割をする吸入通路を必要最低限の開口面積で形成することができるため、より、前側より外気からの気流を取り入れることができ、木床上で、回転ブラシの回転方向に沿った気流で、より、スムーズに吸込通路へ導き込まれゴミの吸い残しのムラを解消できるものである。
【００２２】
請求項５記載の発明は、吸込通路に対向する位置に吸入路を形成したことで、吸込室内の吸込通路付近の負圧が最も高く、その対向位置に、外気からの気流を取り入れることができるため、より確実に塵埃を吸込通路に導くことができ、効率的に掃除作業を行うことができるものである。
【００２３】
請求項６記載の発明は、塵埃吸引用の電動送風機と、塵埃を捕巣する巣塵室と、請求項１〜５のいずれか１項記載の電気掃除機用吸込具に連通するよう接続される接続口を設けた電気掃除機であり、掃除効率が良く、静かで耐久性の優れた電気掃除機を提供することができる。
【００２４】
【実施例】
（実施例１）
以下、第１の実施例について、図１〜図４を用いて説明する。
【００２５】
まず、電気掃除機の全体構成を図１を用いて説明すると、２は後部に吸込具本体１が集塵するのに必要な気流を発生させる電動送風機を内蔵した電動送風機室（図示せず）があり、前部には、塵埃を集塵する集塵室３と、前記集塵室３と外気を連通させる接続口４を形成する電気掃除機本体５である。前記接続口４に接続され、柔軟に可動するように柔体で形成されたホース部６と、前記ホース部６に接続されて前記電気掃除機本体５や吸込具本体１を制御する電気装置を内蔵したホース手元部７があり、ホース手元部７とホース部６をあわせてホース８とした。また、ホース手元部７と吸込具本体１を接続するために剛体で形成され、且つ吸込具本体１に電源を供給する給電線（図示せず）が内蔵された延長管９がある。吸込具本体１により集塵された塵埃は、延長管９、ホースハ接続口４を通過した後に、電気掃除機本体５ハ集塵室３にあつめられるようになっている。
【００２６】
吸込具本体１は、上部側が上ケース１０よりなり下部側が底面を構成する下ケース１１よりなり、下ケ―ス１１には、下面に開口した吸込室１２が形成されている。また、吸込具本体１内の、回転ブラシ１３、回路（図示せず）、吸込室１２と連通した吸込通路１４、吸込通路１４を形成する連結管１５及び、吸込具本体１前方に突出されたバンパー１６は、上ケース１０と下ケース１１を扶持されることで構成される。
【００２７】
このうち、吸込室１２は連絡路１７を介して吸込通路１４へ連通している。
【００２８】
前記吸込通路１４を構成する連結管１５において、連結管１５は、連絡路１７を介して、アーム１８、曲がり継手ｌ９で構成されている。
【００２９】
アーム１８は、吸込具本体１の後部中央に上下動自在に保持され、一方のアーム１８の他端には、アーム１８の周方向に回動自在に接続された曲がり継手１９があり、この曲がり継手１９の他端には、延長管９に挿入されるようになっている。
【００３０】
曲がり継手１９と延長管９の先端がくる位置に合わせて配置された複数個設けられた接続ピン支持部２０と、接続ピン支持部２０に支持される接続ピン２１とつながる電動機給電用のリード線２２をアーム１８側に導くための空間となるリード線収納部２３とが設けられてあり、リード線収納部２３は、着脱自在な保護カバー２４によって覆われている。
【００３１】
吸込室１２内部には、被掃除面に付着した塵埃を遊離させる回転ブラシ１３を内蔵し、この回転ブラシ１３は、ＡＢＳ等などの熱可塑性樹脂で形成した略筒状のブラシホルダー２５と、前記ブラシホルダー２５内部には、減速装置（図示せず）を介して上記ブラシホルダ―２５を駆動させる電動機（図示せず）から構成されており、その外周面長手方向の外周に向かって開口した溝体２６が設けられ、前記溝体２６には、塵埃掻き上げ部を構成する複数のナイロン等から形成され毛ブラシ２７が設けられている。なお、塵埃掻き上げ部は、毛ブラシ２７の他、薄板状のブレード、拭き効果のある帯状体などであってもよい。
【００３２】
吸込室１２を形成する下ケース１１前方前壁部の中央前壁下面部の床面からの高さを左右方向に伸びるに従って徐々に開口するよう構成し、外気を連通した吸入路を構成している。
【００３３】
本実施例では、中央前壁下面部の床面からの高さをＨ＝３ｍｍに設定し、その左右端部の最大の床面からの高さをｈ＝７ｍｍに設定し、Ｒで滑らかに中央と左右の前壁を構成している。
【００３４】
また、その外郭の４隅近傍に、被掃除面に傷を付けない事を目的としたローラー２９が取り付けられている。
【００３５】
以上の構成において、掃除機本体５と吸込具本体１に通電すると電動機２が回転し減速装置により制御された回転トルクが回転ブラシ１３に伝達され、毛ブラシ２７により絨毯などに付着した塵埃を掻き出すとともに、吸込室１２と床面で囲まれた空間に負圧がかかり、吸入路３０より外気が流入し、吸込通路１４に流れ込む、かつ、回転ブラシ１３を回転させ、絨毯に付着した塵埃を掻き出し、前記回転ブラシ１３により掻き出された塵埃を気流により集塵室３内部へ集塵される。特に毛足の長い絨毯では、吸込通路１４付近の負圧が床面への吸着が高く、吸込具本体１が沈み込もうとし、吸入路３０の一部が毛足により、ふさがれてしまうが、中央前壁の床面側に形成した吸入路３０の高さＨと、前記前壁の左右方向に伸びるに従って吸入路３０の高さｈは、Ｈ＜ｈとし徐々に吸込室１２と連通した吸入路３０が開口していくよう構成したので、中央部分の吸入路３０が塞がれてもその左右方向に形成されていく吸入路３０から外気の取り入れを行えることができるため吸込室１２内の真空圧の上昇を押さえることができる。よって、吸込具本体１の沈み込み防止が行えることで、ブラシ毛２７が絨毯に食らい込むことなく回転ブラシ１３の回転性が維持でき、塵埃の掻き上げが行えるものである。
【００３６】
また、木床では、外気からの空気の取り入れを吸込通路１４より遠ざかるに従って増やすことで、吸込室１２中央は、負圧が高く、遠ざかるにつれ、外気からの気流を増やすことができる。
【００３７】
回転ブラシ１３の回転方向に沿って気流を取り入れることで、軽量の固形物等の掻き上げられた塵埃は気流にのり、スムーズに吸込通路１４へ導き込まれゴミの吸い残しのムラを解消できるものである。
【００３８】
（実施例２）
次に第２の実施例について、図５を用いて説明する。尚、上記第１の実施例と同一構成部品については、同一符号を付して説明を省略する。
【００３９】
吸込室１２を形成する下ケース１１前方前壁において、前記前壁の下面部を複数の凹凸形状に構成し、吸込室１２と連通した吸入路３０を形成すると共に、前記吸入路３０を９個設けて構成している。凸形状３２は、吸込室１２を形成する前壁であり、凹形状が吸入路３０であり、前記、吸入路３０は、何個でも可能である。前記吸入路３０の床面からの高さを左右端部のみ高く構成しており、（本実施例では、左右の吸入路３０の床面からの高さを７ｍｍとし、その他の吸入路は３ｍｍに設けている）、特に毛足の長い絨毯では、上記吸入路３０が塞がれてしまいがちだが、左右端部の吸入路を中央より、高く形成しているため、吸入路より外気をとりいれることが可能であり、また、他は、吸込具本体１が毛足に沈み込むのを防止する役目をおこなうことができ、安定して外気の取り入れを行えることができる、それにより吸込室内の真空圧の上昇を押さえることができ、回転ブラシ１３の回転性が維持でき、塵埃の掻き上げが行えるものである。
【００４０】
（実施例３）
次に第３の実施例について、図６を用いて説明する。尚、上記第１の実施例と同一構成部品については、同一符号を付して説明を省略する。
【００４１】
吸込室１２を形成する下ケース１１前方前壁３１の下面部を凹凸形状に設け、吸込室１２と連通した吸入路３０を９個設けて構成している。凸形状３２は、吸込室１２を形成する前壁であり、凹形状を吸入路３０であり、前記、吸入路３０は、何個でも可能である。前記吸入路３０の床面からの高さを前記前壁３１の左右方向に伸びるに従って段々に高く変化させて（本実施例では、中央を床面から３ｍｍで左右に伸びるにしたがって、約１ｍｍずつ高く構成して設けている）構成している。
【００４２】
上記構成により、絨毯上での掃除作業において、外気をとりいれる吸入路３は凸形状３２は、吸込具本体１が絨毯の毛足に沈み込むのを防止する役目をおこなうことができ、より安定して、吸入路３０からの外気の取り入れを行えることができ、それにより吸込室１２内の真空圧の上昇を押さえることができ、より回転ブラシ１３の回転性が維持でき、塵埃の掻き上げが行えるものである。
【００４３】
（実施例４）
次に第４の実施例について、図７〜図８を用いて説明する。尚、上記第１の実施例と同一構成部品については、同一符号を付して説明を省略する。
【００４４】
前壁３１の下面部に吸入路３０を形成し、前記前壁３１の左右方向に伸びるに従って本実施例では、９個の吸入路３０を構成し、左右に伸びるにしたがって吸入路３０の高さ又は巾を変化させ吸入路３０面積を段々に拡大して設けて構成している。したがって、さらに、絨毯上では、外気をとりいれる吸入路３、凸形状３２は、吸込具本体が毛足に沈み込むのを防止する役目をおこなうことができ、より安定して、吸入路３０からの外気の取り入れを行えることができ、より回転ブラシの回転性が維持でき、塵埃の掻き上げが行えるものである。また、吸込室１２内の真空圧低下用の洩らし孔の役割をする吸入通路３３を必要最低限の開口面積で形成することができるため、より、前側より外気からの気流を取り入れることができ、木床上で、回転ブラシ１３の回転方向に沿った気流で、より、スムーズに吸込通路３３へ導き込まれゴミの吸い残しのムラを解消できるものである。
【００４５】
次において、吸込通路１４に対向する位置に吸入路３０を形成したことで、吸込室１２内の吸込通路１４付近の負圧が最も高く、その対向位置に、外気からの気流を取り入れることができるため、より確実に塵埃を吸込通路１４に導くことができ、効率的に掃除作業を行うことができるものでる。
【００４６】
【発明の効果】
以上のように本発明によれば、絨毯及び木床両方において、操作性が軽く塵埃集塵性能が優れ使い勝手の良い電気掃除機用吸込具を提供できる。
【図面の簡単な説明】
【図１】本発明の第１の実施例を示す電気掃除機の全体斜視図
【図２】同吸込具本体の断面図
【図３】同吸込具本体の正面図
【図４】同吸込具本体の下面図
【図５】本発明の第２の実施例を示す吸込具本体の正面図
【図６】本発明の第３の実施例を示す吸込具本体の正面図
【図７】本発明の第４の実施例を示す吸込具本体の正面図
【図８】同吸込具本体の側面図
【図９】従来の吸込具本体の断面図
【図１０】同吸込具本体の正面図
【図１１】同吸込具本体の下面図
【図１２】同吸込具本体の側面図
【符号の説明】
１　吸込具本体
２　電動送風機
３　集塵室
４　接続口
５　電気掃除機
１１　下ケース
１２　吸込室
１３　回転ブラシ
Ｉ４　吸込通路
１５　連結管
３０　吸入路
３１　前方前壁
【図１】
2004089248.tif 000003
【図２】
2004089248.tif 000004
【図３】
2004089248.tif 000005
【図４】
2004089248.tif 000006
【図５】
2004089248.tif 000007
【図６】
2004089248.tif 000008
【図７】
2004089248.tif 000009
【図８】
2004089248.tif 000010
【図９】
2004089248.tif 000011
【図１０】
2004089248.tif 000012
【図１１】
2004089248.tif 000013
【図１２】
2004089248.tif 000014